(57)【要約】      （修正有）【課題】衣類や頭部に容易に取り付けることができ、しかも、従来の装飾具に比して多くの花卉類を取り付けることのできるフラワーアレンジベースを提供する。【解決手段】フラワーアレンジベースＢは、使用者の身体に近接して装着する無端円形状に形成したベースフレーム２５と、ベースフレーム上の任意の２点間に跨設した湾曲フレーム２６を複数設けてドーム状としその表面を略格子状２７に形成した花卉類２３係止部と、を備える。複数の湾曲フレームは、互いに結合させることなく揺動可能とするのが好ましい。【選択図】図５
0003197403.tif 000002
【実用新案登録請求の範囲】
【請求項１】
使用者の身体に装着する無端状に形成したベースフレームと、
同ベースフレーム上の任意の２点間に跨設した湾曲フレームを複数設けてドーム状としその表面を略格子状又は不定形の網目状に形成した花卉類係止部と、を備えるフラワーアレンジベース。
【請求項２】
前記複数の湾曲フレームは、互いに結合させることなく揺動可能としていることを特徴とする請求項１に記載のフラワーアレンジベース。
【請求項３】
使用者の身体に巻着する帯状体の表面に、請求項１又は請求項２に記載のフラワーアレンジベースを配設したことを特徴とする装身具。
【請求項４】
前記帯状体は、同帯状体の形状を保持するための可撓性を有する金属製の網状体と、同網状体の外表面側に取着して網状体を不可視化する外側装飾体と、前記網状体の内表面側に取着して同網状体による使用者の身体又は衣服の損傷を抑制する内側シート体とで構成したことを特徴とする請求項３に記載の装身具。
【請求項５】
前記外側装飾体と前記網状体との間、又は、前記網状体と前記内側シート体との間に防水シート層を設けたことを特徴とする請求項４に記載の装身具。
【考案の詳細な説明】
【技術分野】
【０００１】
本考案は、フラワーアレンジベース及び同フラワーアレンジベースを備えた装身具に関する。
【背景技術】
【０００２】
花や葉など植物の一部分や、これらをモチーフとした造花の如き模造品（以下、総称して花卉類という。）は、本邦にて古来より行われている生け花や、海外で培われてきたフラワーアレンジメント（以下、両者を含め、単にフラワーアレンジメントという。）の構成材料として広く用いられており、我々の目を楽しませている。
【０００３】
フラワーアレンジメントでは、花を生けるために種々の技法が存在するが、基本的には、配置した花卉類の位置を固定して全体的な意匠を保持する必要がある。
【０００４】
そこで従来、花卉類を配置する中心部分に、剣山や所謂オアシス（登録商標）の如き吸水性を有する樹脂発泡体をベースとして配置し、このベースに花卉類を穿刺して固定する技法が行われている（例えば、特許文献１参照。）。
【先行技術文献】
【特許文献】
【０００５】
【特許文献１】特開２００４−２２５０１０号公報
【考案の概要】
【考案が解決しようとする課題】
【０００６】
ところで、婚礼やパーティーなどの場では、身体や衣類に種々の装飾を施すことがある。
【０００７】
特に、花卉類は、これらを装飾として使用している者（以下、使用者という。）を華やかに演出するものとして極めて人気が高く装飾具として広く利用されている。
【０００８】
しかしながら、上記従来のベースは、花卉類で身体や衣類を装飾するには未だ不十分なものであった。
【０００９】
すなわち、前述の樹脂発泡体にあっては、使用者の腹部側に装飾を施す場合、花卉類を使用者の前方や側方へ伸延させて配置することとなるが、花卉類の自重や使用者の移動時の振動等により、樹脂発泡体から花卉類が脱落したり、樹脂発泡体がぼろぼろと崩れたりしてしまうこととなる。
【００１０】
また、前述した剣山は極めて鋭利であり、身体や衣類に取着すること自体が憚られる。
【００１１】
また、使用者の好みにもよるが、特に華やかな席においては花卉類のボリュームを大きくしたい場合もあるところ、従来のベースでは身体や衣類に取り付けた状態で花卉類の量を増加させるのは困難であった。
【００１２】
本考案は、斯かる事情に鑑みてなされたものであって、身体や衣類に取着した状態であっても、比較的多くの花卉類を取り付けることができ、また、使用者が動いた場合でも花卉類をしっかりと保持して脱落等を防止し、配置した花卉類の全体的な意匠を保持できるフラワーアレンジベースを提供する。
【００１３】
また、本考案では、同フラワーアレンジベースを備えることにより、身体や衣類に取着した状態であっても、比較的多くの花卉類を取り付けることができ、また、使用者が動いた場合でも花卉類をしっかりと保持して脱落等を防止し、配置した花卉類の全体的な意匠を保持できる装身具についても提供する。
【課題を解決するための手段】
【００１４】
上記従来の課題を解決するために、本考案に係るフラワーアレンジベースでは、使用者の身体に装着する無端状に形成したベースフレームと、同ベースフレーム上の任意の２点間に跨設した湾曲フレームを複数設けてドーム状としその表面を略格子状又は不定形の網目状に形成した花卉類係止部と、を備えることとした。
【００１５】
また、本考案に係るフラワーアレンジベースでは、前記複数の湾曲フレームは、互いに結合させることなく揺動可能としていることにも特徴を有する。
【００１６】
また、本考案に係る装身具では、使用者の身体に巻着する帯状体の表面に、請求項１又は請求項２に記載のフラワーアレンジベースを配設した。
【００１７】
また、本考案に係る装身具では、前記帯状体は、同帯状体の形状を保持するための可撓性を有する金属製の網状体と、同網状体の外表面側に取着して網状体を不可視化する外側装飾体と、前記網状体の内表面側に取着して同網状体による使用者の身体又は衣服の損傷を抑制する内側シート体とで構成したことにも特徴を有する。
【００１８】
また、本考案に係る装身具では、前記外側装飾体と前記網状体との間、又は、前記網状体と前記内側シート体との間に防水シート層を設けたことにも特徴を有する。
【考案の効果】
【００１９】
本考案に係るフラワーアレンジベースによれば、使用者の身体に装着する無端状に形成したベースフレームと、同ベースフレーム上の任意の２点間に跨設した湾曲フレームを複数設けてドーム状としその表面を略格子状又は不定形の網目状に形成した花卉類係止部と、を備えることとしたため、身体や衣類に取着した状態であっても、比較的多くの花卉類を取り付けることができ、また、使用者が動いた場合でも花卉類をしっかりと保持して脱落等を防止し、配置した花卉類の全体的な意匠を保持することができる。
【００２０】
また、前記複数の湾曲フレームは、互いに結合させることなく揺動可能としていることにより、フラワーアレンジベースに対する花卉類の装着を容易とすると共に、花卉類に対するフラワーアレンジベースからの圧力を緩和して、花卉類へのダメージを可及的に抑制することができる。
【００２１】
また、本考案に係る装身具によれば、使用者の身体に巻着する帯状体の表面に、前述のフラワーアレンジベースを配設したため、身体や衣類に取着した状態であっても、比較的多くの花卉類を取り付けることができ、また、使用者が動いた場合でも花卉類をしっかりと保持して脱落等を防止し、配置した花卉類の全体的な意匠を保持することができる。
【００２２】
また、前記帯状体は、同帯状体の形状を保持するための可撓性を有する金属製の網状体と、同網状体の外表面側に取着して網状体を不可視化する外側装飾体と、前記網状体の内表面側に取着して同網状体による使用者の身体又は衣服の損傷を抑制する内側シート体とで構成すれば、フラワーアレンジベースを身体に対してしっかりと保持しつつ、華やかに装飾することができ、しかも、身体や衣服に対して負荷を少なくすることができる。
【００２３】
また、前記外側装飾体と前記網状体との間、又は、前記網状体と前記内側シート体との間に防水シート層を設けることにより、生花を用いてブーケを形成した場合であっても、生花に供給する水等が衣服や身体に付着することを可及的防止することができる。
【図面の簡単な説明】
【００２４】
【図１】本実施形態に係る装身具の使用状態を示した説明図である。
【図２】本実施形態に係る装身具の外観を示した説明図である。
【図３】帯状体の構成を示した分解斜視図である。
【図４】本実施形態に係るフラワーアレンジベースの構築手順を示した説明図である。
【図５】ブーケ構成植物体の作成手順を示した説明図である。
【図６】フラワーアレンジベースを生花ヘッドドレスとして使用した状態を示す説明図である。
【図７】フラワーアレンジベースを生花ヘッドドレスとして使用した状態を示す説明図である。
【図８】使用者の頭部へのフラワーアレンジベースの取付け状態を示した説明図である。
【考案を実施するための形態】
【００２５】
本考案は、花卉類を取付けてブーケを形成するフラワーアレンジベースに関するものであり、使用者の頭部（髪）や衣類に直接取り付けたり、後述する帯状体を介して身体に取り付けることで使用者を装飾するものである。
【００２６】
ここで花卉類は、例えば生花であれば、一般にブーケ等に用いられるバラやユリ、ラナンキュラスやガーベラは勿論のこと、それ以外であっても特に限定されるものではない。
【００２７】
また、フラワーアレンジベースに取着する植物は花に限定されるものではなく、葉や蔓、果実等であっても良い。さらに花卉類は、必ずしも生の植物である必要はなく、例えば、花や葉の模造品であっても良い。
【００２８】
また、本考案に係るフラワーアレンジベースに特徴的には、使用者の身体に装着する無端状に形成したベースフレームと、同ベースフレーム上の任意の２点間に跨設した湾曲フレームを複数設けてドーム状としその表面を略格子状又は不定形の網目状に形成した花卉類係止部と、を備えることとしている。なお、ここで身体に装着とは、使用者の頭髪など身体の一部を取付対象とする場合は勿論のこと、使用者の衣服等を取付対象とする場合も意味している。
【００２９】
このような構成とすることにより、身体や衣類に取着した状態であっても、比較的多くの花卉類を取り付けることができ、また、使用者が動いた場合でも花卉類をしっかりと保持して脱落等を防止し、配置した花卉類の全体的な意匠を保持することができる。
【００３０】
このフラワーアレンジベースを構成するベースフレームは、無端状（環状）に形成されていればその形状は特に限定されるものではなく、円形や矩形、不定形など使用状況に応じて適宜変化させることができる。
【００３１】
湾曲フレームは、無端状に形成したベースフレーム上の任意の２点間に跨設したフレームであり、本実施形態に係るフラワーアレンジベースでは、この湾曲フレームを複数設けて表面を略格子状や不定形の網目状のドーム型に形成し、花卉類係止部としている。
【００３２】
この湾曲フレームの長さや曲率は特に限定されるものではなく、所望するフラワーアレンジベースの内容積に応じて適宜変化させることができる。また、湾曲フレームを設ける本数についても、装着する花卉類の大きさ等に応じた格子間隔を形成するよう適宜増減することができる。
【００３３】
また、ベースフレームに複数跨設した湾曲フレームは、その湾曲部分において互いに結合させないのが望ましい。湾曲フレームを互いに固定することを必ずしも排除するものではないが、結合させない状態とすることで、湾曲フレームを揺動可能とすることができ、フラワーアレンジベースに対する花卉類の装着を容易とすると共に、花卉類に対するフラワーアレンジベースからの圧力を緩和して、花卉類へのダメージを可及的に抑制することができる。すなわち、湾曲フレームの交点近傍は互いに略ねじれの位置関係とするのが良い。ただし、湾曲フレーム同士が接触していても良い。
【００３４】
また、湾曲フレームを構成する素材は特に限定されるものではないが、例えば金属製とすることができ、針金等を好適に用いることができる。特に、湾曲フレームとして針金等の金属線を用いた場合には、19番（φ1.016mm）から21番（φ0.8128mm）程度のものが良く、より好ましくは20番（φ0.9144mm）を採用することができる。このような径を有する金属線とした場合には、湾曲フレームに適度な弾性と塑性とを付与することができる。
【００３５】
このようにして形成したフラワーアレンジベースは、例えばヘアセットした頭髪に直接取り付けたり、衣類に取り付けることで使用者を華麗に演出することができる。
【００３６】
また、フラワーアレンジベースは、使用者の身体に巻着する帯状体の表面に配設することで装身具を形成することができる。
【００３７】
このような帯状体は、例えば使用者の腰に巻着する帯やコルセット状のものであったり、たすき状のものを挙げることができる。
【００３８】
特に本実施形態に係る装身具において帯状体は、同帯状体の形状を保持するための可撓性を有する網状体と、同網状体の外表面側に取着して網状体を不可視化する外側装飾体と、網状体の内表面側に取着して使用者の身体又は衣服と網状体との接触を緩衝する内側シート体とを備える少なくとも三層構造で構成しても良い。
【００３９】
網状体は、網目（編目）を有し可撓性を備えるものであれば特に限定されるものではなく、例えば金属製のものや樹脂製のものを使用することができる。金属製のものとして一例を挙げるならば、網目が5mm〜15mm程度の亀甲金網（所謂、チキンワイヤー）を好適に用いることができる。
【００４０】
外側装飾体は、使用者が装身具を身につけた際に、使用者とは別の看者から網状体が見えないようにできるものであれば特に限定されないが、看者に対して美観を起こさせるようなものであるのが好ましい。
【００４１】
このような外側装飾体としては、例えば、所定の柄がプリントされた樹脂製のシートや布地を挙げることができる。また、植物や植物の葉により外側装飾体を実現することもできる。
【００４２】
内側シート体は、網状体が使用者の身体や衣類に直接接触しないようガードする役目を果たす部位であり、例えば、樹脂製のシートや布地等を用いることができ、より好ましくはレース生地を採用することができる。なお、内側シート体は、身体又は衣服と網状体との接触を緩衝するシートや布地、編み地であれば良く、身体又は衣服と網状体とを非接触状態とするものを含むのは勿論のこと、網状体が衣服等に絡みつくことによる衣服の損傷を可及的に抑制できるものであれば孔部が形成されているものであっても良い。
【００４３】
また、網状体と内側シート体との間には、防水シート層を設けるようにしても良い。防水シート層は、フラワーアレンジベースに装着される生花の茎の切断面に配置した含水脱脂綿等からの漏水が使用者の身体や衣服に付着するのを防止できるものであれば良く、例えば樹脂フィルムを採用することができる。
【００４４】
また、このように形成した帯状体は、その両端部を相互に係止して無端状（環状）とするための係止部材を設けるようにしても良い。このような係止部材としては、例えば面ファスナーや、長さの調整が可能な延長ホック等を採用することができる。
【００４５】
以下、本実施形態に係るフラワーアレンジベース及び同フラワーアレンジベースを備えた装身具に関し、図面を参照しながら更に説明する。なお、説明の便宜上、まず本実施形態に係る装身具について言及し、その後、本実施形態に係るフラワーアレンジベースの詳細について言及する。
【００４６】
図１は、本実施形態に係る装身具Ａの使用状態を示した説明図である。図１に示すように、婚礼に際してドレス１０を着用した使用者Ｐは、装身具Ａと花束１１とで構成されるボディブーケ１２を装着している。使用者Ｐの側腹部近傍には、装身具Ａによって保持された花束１１が位置しており、使用者Ｐを華麗に演出している。
【００４７】
図２は花束１１を除いた状態のボディブーケ１２、すなわち、装身具Ａの構成を示した説明図である。図２に示すように装身具Ａは、使用者Ｐの腰部に巻回して装着される腰部帯状体１３ａと、端部を腰部帯状体１３ａに係止して使用者Ｐの肩に掛け回すことで装着される肩部帯状体１３ｂと、腰部帯状体１３ａの外表面に配設したフラワーアレンジベースＢとで構成している。
【００４８】
腰部帯状体１３ａ及び肩部帯状体１３ｂ（以下、総称して帯状体１３ともいう。）は、図３に示すように、看者の目に触れる外表面側から使用者の身体に近い内表面側へ向けて外側装飾体２０と網状体２１と内側シート体２２との三層で構成している。
【００４９】
外側装飾体２０は、後述する網状体２１が看者から見えないようにカバーする（不可視化する）ために設けられたものであり、本実施形態では大きめの観葉植物の葉２０ａを帯状体１３の伸延方向に沿って複数枚貼着して構成している。
【００５０】
網状体２１は、帯状体１３の可撓性を維持しながら形状を保持するための構造材であり、本実施形態では網目の大きさが1cm程度の亀甲金網を採用している。また、この網状体２１は、フラワーアレンジベースＢを取り付けるための足場としても機能する。
【００５１】
内側シート体２２は、網状体２１が使用者の身体又は衣服に損傷をきたすのを抑制するための部材であり、本実施形態では所定のレース生地を採用している。なお、この内側シート体２２は、網状体２１が使用者の身体又は衣服と接触するのを抑制する（非接触状態とする）ものを採用することもできる。このような素材のうち、遮水性を有するものを内側シート体２２として採用すれば、前述の防水シート層を兼ねることもできる。
【００５２】
このように、帯状体１３は外側装飾体２０と網状体２１と内側シート体２２との三層構造とすることにより、意匠性や保形性を備えつつ、後述のフラワーアレンジベースＢを容易に取付け可能としている。なお、本実施形態において肩部帯状体１３ｂについても三層構造としたが、肩部帯状体１３ｂにフラワーアレンジベースＢの取付けを行わない場合には、必ずしも肩部帯状体１３ｂを三層構造とする必要はない。また、本実施形態では図示を省略するが、外側装飾体２０と網状体２１との間や、網状体２１と内側シート体２２との間に遮水性を有するシートを配置して防水シート層を設けるようにしても良い。
【００５３】
また、本実施形態に係る装身具Ａでは、腰部帯状体１３ａと肩部帯状体１３ｂとが使用者Ｐの身体の前面で交わる位置にフラワーアレンジベースＢを配置し、花束１１を形成可能としている。
【００５４】
図２に示すように本実施形態に係るフラワーアレンジベースＢは、略中空半球状の形状を有しており、その表面を略格子状として花束１１を構成する花や葉などのブーケ構成植物体２３を複数本挿入可能としている。
【００５５】
図４は、本実施形態に係るフラワーアレンジベースＢに関し、作成手順を追ってその構造を示した説明図である。図４に示すように、フラワーアレンジベースＢを作成するにあたっては、まずその基礎となるベースフレーム２５を用意する。
【００５６】
このベースフレーム２５は、フラワーアレンジベースＢの取付け領域を規定する部位であり、本実施形態では直径約10cmの円形リング状のものとしている。なお、ベースフレーム２５は樹脂や金属で形成されたリングをそのまま採用しても良く、また、針金等で形成しても良い。
【００５７】
次に、このベースフレーム２５に対して、湾曲フレーム２６を配置する。本実施形態においてこの湾曲フレーム２６は２０番の太さの針金を用いて形成しており、ベースフレーム２５の任意の２点間に円弧状に掛け渡し、両端部をベースフレーム２５に巻き付けることで固定している。
【００５８】
次に、このような湾曲フレーム２６をベースフレーム２５に対して複数設け、全体的に略ドーム状に形成する。なお本実施形態では図４に示すように、湾曲フレーム２６の端部を一点に集中させて経線状とし、これを直交させて格子状とすることにより配置しているがこれに限定されるものではなく、ベースフレーム２５上のランダムな２点間に跨設して形成しても良い。
【００５９】
また、複数設けた湾曲フレーム２６は、それぞれ互いに結合させることなく揺動可能としており、花卉類の装着を容易とすると共に、花卉類に対するベースフレーム２５からの圧力を緩和して、花卉類へのダメージを可及的に抑制可能としている。
【００６０】
このように、ベースフレーム２５上に複数の湾曲フレーム２６を配設することで、図４の右側に示すように、ドーム表面が格子状となった（以下、この表面を格子状面２７と称する。）フラワーアレンジベースＢを構築することができる。すなわち、この格子状面２７は、花卉類係止部として機能する部位となる。
【００６１】
なお、本実施形態では湾曲フレームを直交させて配置したことにより花卉類係止部を格子状に形成したが、前述の如くランダムに掛け渡すことにより、不定形の網目状に花卉類係止部を形成しても良い。この場合、大小種々の目部が形成されることとなり、花卉類の茎の太さなどに応じて挿入する目部を選択可能とすることができる。
【００６２】
次に、このように構成したフラワーアレンジベースＢに装着して花束１１を構成するブーケ構成植物体２３について言及する。ブーケ構成植物体２３は様々な花卉類を使用可能であるが、ここでは、生花のバラを例にブーケ構成植物体２３の作成方法について言及する。
【００６３】
まず図５（ａ）に示すように、生花のバラ３０の茎部３１の下方に針金３２を巻き付けて補強部３３を形成する。この補強部３３は、茎部３１を折曲させた場合などにおける茎部３１の変形状態を針金３２が有する塑性により保持させるための部位である。
【００６４】
次に、図５（ｂ）に示すように、バラ３０の茎部３１の切り口部３４近傍に水を染みこませた綿（以下、含水綿３５という。）を巻き付けて、バラ３０に水分を供給可能とする。
【００６５】
次に、形成した補強部３３や配置した含水綿３５を覆うように保護テープ３６を巻回して保護部３７を形成し、形状を整えることでブーケ構成植物体２３とする。なお、保護テープ３６は市販のものを用いることができ、例えば、フローラテープ（登録商標）を好適に使用することができる。
【００６６】
そして、図５（ｄ）に示すように、得られたブーケ構成植物体２３の茎部３１をフラワーアレンジベースＢの格子状面２７に形成された格子間部分に挿入し、ブーケ構成植物体２３の保護部３７を折曲させて湾曲フレーム２６に係止することで固定する。このとき、針金３２の塑性によって保護部３７の折曲状態が保持される。この作業を繰り返すことにより、図１に示したように、フラワーアレンジベースＢに花束１１を形成することができる。
【００６７】
このように、本実施形態に係る装身具Ａは、使用者Ｐの身体に巻着する帯状体１３の表面にフラワーアレンジベースＢを配設したことにより、身体や衣類に取着した状態であっても、比較的多くの花卉類を取り付けることができ、また、使用者が動いた場合でも花卉類をしっかりと保持して脱落等を防止し、配置した花卉類の全体的な意匠を保持することができる。
【００６８】
ところで、本実施形態に係るフラワーアレンジベースＢは、必ずしも帯状体１３と組み合わせて装身具Ａを構築する必要はない。フラワーアレンジベースＢ単独であっても、衣類や頭部に容易に取り付けることができ、しかも、従来の装飾具に比して多くの花卉類を取り付けることのできるフラワーアレンジベースとして利用することができる。そこで次に、フラワーアレンジベースＢを用いてヘッドドレスを形成した例について図６〜図８を参照しながら説明する。
【００６９】
図６は、生花ヘッドドレス４０の使用状態を示した説明図である。図６に示すように、使用者Ｐの頭部４１の頭髪４２には、花束１１を備えた生花ヘッドドレス４０が装着されており、使用者Ｐの表情をより華やかに演出している。
【００７０】
この生花ヘッドドレス４０は、使用者Ｐの頭髪４２に係止したフラワーアレンジベースＢに前述のブーケ構成植物体２３を装着して花束１１を構築することで形成しているものであり、フラワーアレンジベースＢは図７に示すような状態で使用者Ｐの頭部４１に取り付けられている。
【００７１】
具体的には、図８に示すように、フラワーアレンジベースＢのベースフレーム２５部分をアメピン４３などのヘアピンを介して頭髪４２に係止することで固定している。このように、本実施形態に係るフラワーアレンジベースＢは、単体であっても頭髪４２などに極めて容易に装着することができる。
【００７２】
また、取り外しも極めて容易であることから、例えばお色直しなど短時間で演出の雰囲気を変更する場合においても、円滑にその作業を行うことができる。
【００７３】
上述してきたように、本実施形態に係るフラワーアレンジベースＢによれば、使用者の身体に近接して装着する無端状に形成したベースフレーム（例えば、ベースフレーム２５）と、同ベースフレーム上の任意の２点間に跨設した湾曲フレーム（例えば、湾曲フレーム２６）を複数設けてドーム状としその表面を略格子状に形成した花卉類係止部（例えば、格子状面２７）と、を備えることとしたため、身体や衣類に取着した状態であっても、比較的多くの花卉類を取り付けることができ、また、使用者が動いた場合でも花卉類をしっかりと保持して脱落等を防止し、配置した花卉類の全体的な意匠を保持することができる。
【００７４】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【００７５】
本実施形態に係る装身具Ａでは、腰部帯状体１３ａと肩部帯状体１３ｂとの２つの帯状体１３を有するものとして説明したがこれに限定されるものではなく、腰部帯状体１３ａ又は肩部帯状体１３ｂのいずれか一方を用い、フラワーアレンジベースＢを設けて使用するようにしても良い。
【００７６】
また、帯状体１３は使用者の腰や肩のみならず、手や脚などに装着するバンド状のものとしても良い。
【符号の説明】
【００７７】
１２  ボディブーケ
１３  帯状体
２０  外側装飾体
２１  網状体
２２  内側シート体
２３  ブーケ構成植物体
２５  ベースフレーム
２６  湾曲フレーム
２７  格子状面
４０  生花ヘッドドレス
４１  頭部
４２  頭髪
４３  アメピン
Ａ  装身具
Ｂ  フラワーアレンジベース
Ｐ  使用者
【図１】
0003197403.tif 000003
【図２】
0003197403.tif 000004
【図３】
0003197403.tif 000005
【図４】
0003197403.tif 000006
【図５】
0003197403.tif 000007
【図６】
0003197403.tif 000008
【図７】
0003197403.tif 000009
【図８】
0003197403.tif 000010